【手続補正書】
【提出日】平成29年1月27日(2017.1.27)
【手続補正１】
【補正対象書類名】特許請求の範囲
【補正対象項目名】全文
【補正方法】変更
【補正の内容】
【特許請求の範囲】
【請求項１】
複数の通信装置をそれぞれ含む複数のネットワークのうちの１つに含まれる通信装置において、前記通信装置は、
他の通信装置と通信する通信回路と、
時間信号を生成するタイマと、
前記通信装置が前記複数のネットワークのうちの第１のネットワークに参入しているとき、前記複数のネットワークのうちの他のネットワークに参入している他の通信装置間の通信に係る漏れ信号を前記通信回路により受信した回数を示すカウンタ値を格納するカウンタと、
前記通信装置を制御する制御回路とを備え、
前記制御回路は、
前記時間信号に基づいて、前記通信装置が前記第１のネットワークに参入してから開始して反復される、複数の時間区間を生成し、
前記各時間区間において、前記漏れ信号を受信したとき、前記カウンタ値をインクリメントし、
ある時間区間において、前記カウンタ値が第１のしきい値以上になるとき、前記通信回路によりスキャン要求信号をブロードキャストし、
前記複数のネットワークのうちの第２のネットワークに参入している他の通信装置から、前記スキャン要求信号に対して返信されたビーコン信号であって、前記第２のネットワークの通信品質を含むビーコン信号を前記通信回路により受信したとき、前記第２のネットワークの通信品質を前記第１のネットワークの通信品質に対して比較することを特徴とする通信装置。
【請求項２】
前記制御回路は、前記各時間区間において、前記漏れ信号を受信しなかったとき、前記カウンタ値をデクリメントすることを特徴とする請求項１記載の通信装置。
【請求項３】
複数の通信装置をそれぞれ含む複数のネットワークのうちの１つに含まれる通信装置において、前記通信装置は、
他の通信装置と通信する通信回路と、
時間信号を生成するタイマと、
前記通信装置が前記複数のネットワークのうちの第１のネットワークに参入しているとき、前記複数のネットワークのうちの他のネットワークに参入している他の通信装置間の通信に係る漏れ信号を前記通信回路により受信した回数を示すカウンタ値を格納するカウンタと、
前記通信装置を制御する制御回路とを備え、
前記制御回路は、
前記時間信号に基づいて、前記通信装置が前記第１のネットワークに参入してから開始して反復される、複数の時間区間を生成し、
前記各時間区間において、前記漏れ信号を受信したとき、前記カウンタ値をインクリメントし、
前記制御回路は、ある時間区間において、当該時間区間の直前の時間区間で前記漏れ信号を受信して前記カウンタ値をインクリメントしたとき、前記通信回路によりスキャン要求信号をブロードキャストし、
前記複数のネットワークのうちの第２のネットワークに参入している他の通信装置から、前記スキャン要求信号に対して返信されたビーコン信号であって、前記第２のネットワークの通信品質を含むビーコン信号を前記通信回路により受信したとき、前記第２のネットワークの通信品質を前記第１のネットワークの通信品質に対して比較することを特徴とする通信装置。
【請求項４】
複数の通信装置をそれぞれ含む複数のネットワークのうちの１つに含まれる通信装置において、前記通信装置は、
他の通信装置と通信する通信回路と、
時間信号を生成するタイマと、
前記通信装置が前記複数のネットワークのうちの第１のネットワークに参入しているとき、前記複数のネットワークのうちの他のネットワークに参入している他の通信装置間の通信に係る漏れ信号を前記通信回路により受信した回数を示すカウンタ値を格納するカウンタと、
前記通信装置を制御する制御回路とを備え、
前記制御回路は、
前記時間信号に基づいて、前記通信装置が前記第１のネットワークに参入してから開始して反復される、複数の時間区間を生成し、
前記各時間区間において、前記漏れ信号を受信したとき、前記カウンタ値をインクリメントし、
前記制御回路は、ある時間区間において、当該時間区間に先行する予め決められた個数の連続した時間区間で前記漏れ信号をそれぞれ受信して前記カウンタ値をそれぞれインクリメントしたとき、前記通信回路によりスキャン要求信号をブロードキャストし、
前記複数のネットワークのうちの第２のネットワークに参入している他の通信装置から、前記スキャン要求信号に対して返信されたビーコン信号であって、前記第２のネットワークの通信品質を含むビーコン信号を前記通信回路により受信したとき、前記第２のネットワークの通信品質を前記第１のネットワークの通信品質に対して比較することを特徴とする通信装置。
【請求項５】
前記通信装置は、前記各ネットワークの各通信装置に関連付けられた前記各ネットワークの通信品質を記録するスキャン結果テーブルを格納するメモリをさらに備え、
前記制御回路は、
前記各ネットワークの各通信装置から、前記スキャン要求信号に対して返信されたビーコン信号であって、前記ビーコン信号の送信元の通信装置に関連付けられた、前記ビーコン信号の送信元の通信装置が参入しているネットワークの通信品質を含むビーコン信号を前記通信回路により受信したとき、前記ビーコン信号の送信元の通信装置に関連付けて、前記ビーコン信号の送信元の通信装置が参入しているネットワークの通信品質を前記スキャン結果テーブルに記録し、
前記各時間区間において、前記スキャン結果テーブルに記録された通信装置のうちの、前記第１のネットワークの各通信装置の通信品質よりも高い通信品質を有する他のネットワークの他の通信装置から前記漏れ信号を受信したとき、前記カウンタ値をインクリメントすることを特徴とする請求項１〜４のうちの１つに記載の通信装置。
【請求項６】
前記通信装置は、前記各ネットワークの各通信装置に関連付けられた前記各ネットワークの通信品質を記録するスキャン結果テーブルを格納するメモリをさらに備え、
前記制御回路は、
前記各ネットワークの各通信装置から、前記スキャン要求信号に対して返信されたビーコン信号であって、前記ビーコン信号の送信元の通信装置に関連付けられた、前記ビーコン信号の送信元の通信装置が参入しているネットワークの通信品質を含むビーコン信号を前記通信回路により受信したとき、前記ビーコン信号の送信元の通信装置に関連付けて、前記ビーコン信号の送信元の通信装置が参入しているネットワークの通信品質を前記スキャン結果テーブルに記録し、
前記各時間区間において、前記スキャン結果テーブルに記録されていない他のネットワークに参入している他の通信装置から前記漏れ信号を受信したとき、前記カウンタ値をインクリメントすることを特徴とする請求項１〜５のうちの１つに記載の通信装置。
【請求項７】
前記通信装置は、前記各ネットワークの各通信装置に関連付けられた前記各ネットワークの通信品質を記録するスキャン結果テーブルを格納するメモリをさらに備え、
前記制御回路は、
前記各ネットワークの各通信装置から、前記スキャン要求信号に対して返信されたビーコン信号であって、前記ビーコン信号の送信元の通信装置に関連付けられた、前記ビーコン信号の送信元の通信装置が参入しているネットワークの通信品質を含むビーコン信号を前記通信回路により受信したとき、前記ビーコン信号の送信元の通信装置に関連付けて、前記ビーコン信号の送信元の通信装置が参入しているネットワークの通信品質を前記スキャン結果テーブルに記録し、
前記各時間区間において、前記複数のネットワークのうちの他のネットワークの複数の通信装置を管理する管理装置として動作する通信装置であって、前記スキャン結果テーブルに記録されていない通信装置から前記漏れ信号を受信したとき、前記カウンタ値をインクリメントすることを特徴とする請求項１〜６のうちの１つに記載の通信装置。
【請求項８】
前記制御回路は、前記各時間区間において、前記漏れ信号を受信し、前記漏れ信号の受信品質が第２のしきい値を超えるとき、前記カウンタ値をインクリメントすることを特徴とする請求項１〜７のうちの１つに記載の通信装置。
【請求項９】
前記制御回路は、前記各時間区間において、第３のしきい値を超える個数の前記漏れ信号を受信したとき、前記カウンタ値をインクリメントすることを特徴とする請求項１〜８のうちの１つに記載の通信装置。
【請求項１０】
請求項１〜９のうちの１つに記載の通信装置としてそれぞれ動作する複数の第１の通信装置と、
前記複数の第１の通信装置を管理する管理装置として動作する少なくとも１つの第２の通信装置とを含むことを特徴とする通信システム。